(57)【要約】【課題】合成樹脂発泡板３とコンクリート５とを併用した床構造体を、解体や部分補修が容易な構造とする。【解決手段】合成樹脂発泡板３の上面上を仕切り材６で複数領域に仕切り、仕切り材６で仕切られた各領域を充填してコンクリート５を打設しておくことで、仕切り材６で仕切られた各領域毎にコンクリート５を剥離可能としておく。【選択図】      図１
2004176441.tif 000002
【特許請求の範囲】
【請求項１】
床下地上に敷き並べられた複数の合成樹脂発泡板の上面上が仕切り材で複数領域に仕切られており、仕切り材で仕切られた各領域を充填して合成樹脂発泡板上に打設されたコンクリート上に床面が形成されていることを特徴とする床構造体。
【請求項２】
仕切り材が、合成樹脂発泡板の上面上を格子状に仕切っていることを特徴とする請求項１に記載の床構造体。
【請求項３】
仕切り材が、断面形状が等脚台形又は二等辺三角形の棒材であることを特徴とする請求項１又は２に記載の床構造体。
【請求項４】
仕切り材が、合成樹脂発泡体で構成されていることを特徴とする請求項１〜３のいずれか１項に記載の床構造体。
【請求項５】
仕切り材の表面にはスキン層が形成されていないことを特徴とする請求項４に記載の床構造体。
【請求項６】
敷き並べられた複数の合成樹脂発泡板の表面にスキン層が形成されていることを特徴とする請求項１〜５のいずれかの１項に記載の床構造体。
【請求項７】
合成樹脂発泡板間の合わせ目を覆って粘着テープが貼着されていることを特徴とする請求項１〜６のいずれか１項に記載の床構造体。
【請求項８】
敷き並べられた複数の合成樹脂発泡板の上面がカバーシートで覆われていることを特徴とする請求項１〜７のいずれか１項に記載の床構造体。
【請求項９】
合成樹脂発泡板の上面に、少なくとも一側縁部が合成樹脂発泡板の一側縁部より外方に延出したカバーシートが積層されており、このカバーシートの延出部が隣接する合成樹脂発泡板の上面に被せられていることを特徴とする請求項１〜６のいずれか１項に記載の床構造体。
【請求項１０】
床下地上に複数の合成樹脂発泡板を敷き並べ、敷き並べた複数の合成樹脂発泡板の上面上を複数領域に仕切って仕切り材を付設し、この仕切り材で仕切られた各領域を充填して合成樹脂発泡板上にコンクリートを打設し、このコンクリート上に床面を形成することを特徴とする床構造体の構築方法。
【請求項１１】
仕切り材の設置前に、敷き並べた合成樹脂発泡板の合わせ目に沿って粘着テープを貼着することを特徴とする請求項１０に記載の床構造体の構築方法。
【請求項１２】
床下地上に複数の合成樹脂発泡板を敷き並べた後、仕切り材の設置前に、敷き並べた合成樹脂発泡板上をカバーシートで覆うことを特徴とする請求項１０に記載の床構造体の構築方法。
【請求項１３】
少なくとも一側縁部が合成樹脂発泡板の一側縁部より外方に延出したカバーシートを予め上面に積層した合成樹脂発泡板を用い、この合成樹脂発泡板を床下地面上に敷き並べると共に、カバーシートの延出部を隣接する合成樹脂発泡板の上面に被せることを特徴とする請求項１０に記載の床構造体の構築方法。
【発明の詳細な説明】
【０００１】
【発明の属する技術分野】
本発明は、例えば断熱性を有する床や嵩上げした床として用いられる、合成樹脂発泡板とコンクリートとを併用した床構造体及びその構築方法に関する。
【０００２】
【従来の技術】
従来、合成樹脂発泡板とコンクリートとを併用した床構造体としては、地盤に割栗の敷設や砂による表面均しなどの下処理を施した床下地上に、予め両面に合成樹脂フィルムを接合した合成樹脂発泡板を敷き並べて、その上にコンクリートを打設した土間床が知られている（例えば特許文献１参照）。
【０００３】
【特許文献１】
特公平５−３９２２３号公報
【０００４】
【発明が解決しようとする課題】
しかしながら、上記従来の床構造体には次のような問題がある。
【０００５】
（１）床構造体を解体するときに、合成樹脂発泡板上に打設された一連のコンクリート層を破砕し、合成樹脂発泡板と分離して搬出しなければならず、手間がかかり、また解体持の騒音などによりリフォームに適さない。
【０００６】
（２）例えばコンクリート層の一部に亀裂を生じた場合などの部分的な補修を行う場合に、補修領域のコンクリート層のみを、下に敷かれている合成樹脂発泡板や合成樹脂フィルムを傷付けないように除去しなければならず、作業が行いにくい。
【０００７】
本発明は、上記従来の問題点に鑑みてなされたもので、合成樹脂発泡板とコンクリートとを併用した床構造体を、解体や部分補修が容易な構造とすることと、当該床構造体の簡便な構築方法を提供することを目的とする。
【０００８】
【課題を解決するための手段】
上記目的のために、本発明の第１は、床下地面上に敷き並べられた複数の合成樹脂発泡板の上面上が仕切り材で複数領域に仕切られており、仕切り材で仕切られた各領域を充填して合成樹脂発泡板上に打設されたコンクリート上に床面が形成されていることを特徴とする床構造体を提供するものである。
【０００９】
上記本発明の第１は、仕切り材が、合成樹脂発泡板の上面上を格子状に仕切っていること、
仕切り材が、断面形状が等脚台形又は二等辺三角形の棒材であること、
仕切り材が、合成樹脂発泡体で構成されていること、
仕切り材の表面にスキン層が形成されていること、
合成樹脂発泡板間の合わせ目を覆って粘着テープが貼着されていること、
敷き並べられた複数の合成樹脂発泡板の上面がカバーシートで覆われていること、
合成樹脂発泡板の上面に、少なくとも一側縁部が合成樹脂発泡板の一側縁部より外方に延出したカバーシートが積層されており、このカバーシートの延出部が隣接する合成樹脂発泡板の上面に被せられていること、
をその好ましい態様として含むものである。
【００１０】
また、本発明の第２は、床下地面上に複数の合成樹脂発泡板を敷き並べ、敷き並べた複数の合成樹脂発泡板の上面上を複数領域に仕切って仕切り材を付設し、この仕切り材で仕切られた各領域を充填して合成樹脂発泡板上にコンクリートを打設し、このコンクリート上に床面を形成することを特徴とする床構造体の構築方法を提供するものである。
【００１１】
上記本発明の第２は、仕切り材の設置前に、敷き並べた合成樹脂発泡板の合わせ目に沿って粘着テープを貼着すること、
床下地面上に複数の合成樹脂発泡板を敷き並べた後、仕切り材の設置前に、敷き並べた合成樹脂発泡板上をカバーシートで覆うこと、
少なくとも一側縁部が合成樹脂発泡板の一側縁部より外方に延出したカバーシートを予め上面に積層した合成樹脂発泡板を用い、この合成樹脂発泡板を床下地面上に敷き並べると共に、カバーシートの延出部を隣接する合成樹脂発泡板の上面に被せること、
をその好ましい態様として含むものである。
【００１２】
【発明の実施の形態】
まず、本発明の第１の例を図１〜５に基づいて説明する。
【００１３】
図１は本発明に係る床構造体の第１の例を示す断面図、図２は仕切り材の配置状態を示す平面図、図３は仕切り材の拡大斜視図、図４は仕切り材の他の例を示す拡大斜視図、図５は本発明の効果の説明図である。
【００１４】
図１において、１は床下地である。床下地１は、既存の建物の床の嵩上げに本発明を用いる場合には既存の床であり、床下空間を有さない土間床の構築に本発明を用いる場合には下地処理（例えば砂利や割繰りの敷設、砂による表面均しなど）を施した地盤である。また、２は建物の壁部である。
【００１５】
下地１上には、嵩上げ用又は断熱用の合成樹脂発泡板３が、隣接する合成樹脂発泡板３の側端面同志を突き合わせて複数枚敷き並べられている。この合成樹脂発泡板３としては、軽量で機械的強度に優れ、耐水性、断熱性に優れたものが好ましく、独立気泡を有する合成樹脂発泡体で構成されていることが好ましい。具体的には、ポリスチレン発泡体、ポリエチレン発泡体、ポリウレタン発泡体などを用いることができるが、機械的強度、耐水性、断熱性に優れることから、特に押出発泡ポリスチレン発泡体（例えばダウ化工社製の「スタイロフォーム」）が好ましい。
【００１６】
合成樹脂発泡板３の少なくとも上面は、後述するコンクリート５の付着を抑制できるよう、スキン層を有することが好ましい。このスキン層とは、未発泡又は他の発泡層に比べて低発泡の層をいう。
【００１７】
上記合成樹脂発泡板３の敷設は、壁部２との間に板状の枠材４を幅方向に立てて介在させて行うことが好ましい。つまり、壁部２に沿って床下地１上に配置された枠材４に囲まれた領域内に合成樹脂発泡板３を敷き詰めるようにすることがことが好ましい。
【００１８】
上記枠材４の幅は合成樹脂発泡板３の厚みより大きく、設置された枠材４の上面は合成樹脂発泡板３上に突出して、敷設された合成樹脂発泡板３の周囲を取り囲んでいる。この枠材４は、後述するコンクリート５を打設する時の周辺枠の役割をなすもので、この枠材４を設けることによって、コンクリート５の壁部２への付着を抑制することができる。
【００１９】
枠材４の材質としては、コンクリート５の付着を抑制できるものであれば特に制限はなく、例えばコンクリートの付着防止処理を施した木の板材などを用いることもできるが、施工性、耐水性、断熱性などに優れる点から、前記合成樹脂発泡板３と同様の合成樹脂発泡体で構成されていることが好ましい。また、合成樹脂発泡体製とする場合、コンクリート５の付着を抑制できるよう、少なくとも合成樹脂発泡板３側の表面はスキン層を有することが好ましい。
【００２０】
前記敷き並べられた複数の合成樹脂発泡板３の上面には、所定の間隔をあけて縦横に仕切り材６が設けられており、この仕切り材６によって、合成樹脂発泡板３の上面上が複数領域に仕切られている。具体的には、図２に示されるように、仕切り材６が合成樹脂発泡板３の上面に格子状に設けられており、合成樹脂発泡板３上をそれぞれ方形の領域に仕切っている。
【００２１】
仕切り材６は、縦横とも長尺の棒材又は板材を用い、交差部に形成した溝を介して組み合わせて格子状に形成することもできるが、図２に示されるように、ほぼ各格子の１辺に対応する長さのものとし、縦横の仕切り材６の交差部を、平面三角形状に形成された仕切り材６の端部同志を突き合わせることで形成することが好ましい。このようにすることによって、仕切り材６の部分的交換が容易となり、部分補修が容易となる。
【００２２】
本例における仕切り材６は、図１及び図３に示されるように、断面等脚台形の棒材となっている。仕切り材６としては、例えば断面正方形又は長方形の棒材又は板材を用いることもできるが、上記断面等脚台形の棒材とすることが好ましい。断面等脚台形の棒材は、合成樹脂発泡板３上へ設置したときの安定性が良いだけでなく、側面が上向きの傾斜面となるので、後述するコンクリート５の剥離作業が行いやすくなる。また、図４に示されるように、断面二等辺三角形の棒材としても、同様の利点を得ることができる。
【００２３】
仕切り材６の材質としては、コンクリート５の付着を抑制できるものであれば特に制限はなく、例えばコンクリートの付着防止処理を施した木の棒材又は板材などを用いることもできるが、施工性、耐水性などに優れる点から、前記合成樹脂発泡板３と同様の合成樹脂発泡体で構成されていることが好ましい。また、合成樹脂発泡体製とする場合、コンクリート５の付着を抑制できるよう、少なくとも両側面はスキン層を有することが好ましい。
【００２４】
上記仕切り材６で複数領域に仕切られた合成樹脂発泡板３上には、敷設された合成樹脂発泡板３を押さえ付けて安定させると共に、必要な床強度を得るためのコンクリート５が、仕切り材６で仕切られた各領域内を充填して打設されている。このコンクリート５の打設は、打設後の表面周縁に凹凸が残らないよう、打設されたコンクリート５の上面が枠材４の上面とほぼ一致した高さとなるように行うことが好ましい。また同様の理由から、前記仕切り材６の高さは、枠材４の合成樹脂発泡板３上への突出高さと同等かややそれよりもやや低くしておくことが好ましい。仕切り材６の高さを上記のように調整しておき、枠材４の上面までコンクリート５を打設すると、コンクリート５の表面と仕切り材６の上面がほぼ同じ高さに揃うか、仕切り材６の上面が薄くコンクリート５で覆われて、コンクリート５の表面が平坦に形成されることになる。
【００２５】
上記コンクリート５の上面は、モルタル７によって均され、このモルタル７上に床材８が設けられている。
【００２６】
上記本例の床構造体は、断熱や嵩上げのために敷設された合成樹脂発泡板３の上に打設されたコンクリート５が、仕切り材６によって複数の領域に仕切られているので、例えばその解体時や補修時に、モルタル７及び床材８を必要に応じて剥がした後、図５に示されるように、仕切り材６で仕切られた１領域単位にコンクリート５を分離して取り出すことができる。従って、敷設された合成樹脂発泡板３上に全面かつ一連にコンクリート５が打設されている場合のように、除去しやすい大きさに切断したり破砕する必要がなく、解体除去や補修作業が行いやすくなる。また、この１領域単位のコンクリート５の剥離除去作業を伴う補修時に周囲の枠材６が損傷しても、前述のように、枠材６をほぼ各格子の１辺に対応する長さのものとし、縦横の仕切り材６の交差部を、平面三角形状に形成された仕切り材６の端部同志を突き合わせることで形成しておけば、損傷した仕切り材６交換して再度コンクリート５を打設し直すことができる。
【００２７】
上記床構造体は、床下地１上に合成樹脂発泡板３と枠材４を敷設した後、又は合成樹脂発泡板３と枠材４を敷設しながら、敷設した合成樹脂発泡板３上に仕切り材６を付設し、合成樹脂発泡板３と枠材４の敷設と仕切り材６の付設を完了した後、合成樹脂発泡板３上にコンクリート５を打設し、養生期間をおいた後、モルタル７による表面均しと床材８の設置を行うことで得ることができる。
【００２８】
合成樹脂発泡板３と枠材４の設置は、設置した合成樹脂発泡板３同志や合成樹脂発泡板３と枠材４間を、例えば粘着テープなどで仮止めしてつなぎ、ずれを防止しながら行うことが好ましい。また、合成樹脂発泡板３上への仕切り材６の付設は、仕切り材６の底面に予め付設しておいた粘着剤や現場で付設した両面テープを用いて粘着することで容易に行うことができる。
【００２９】
次に、図６〜図１０に基づいて、本発明の第２の例〜第４の例について説明する。なお、以下に述べる図６〜図１０において、既に説明した図１〜図５に示される符号と同じ符号は同じ部材又は部位を示す。
【００３０】
図６は、本発明に係る床構造体の第２の例を示す断面図で、基本的には図１に示す第１の例と同様であるが、合成樹脂発泡板３同志の合わせ目と、合成樹脂発泡板３と枠材４間の合わせ目とに沿って粘着テープ９が貼着され、これらの合わせ目が粘着テープ９で覆われたものとなっている。
【００３１】
上記粘着テープ９としては、防水性のテープを用いることが好ましい。このようにすることによって、コンクリート５の打設時に水分が上記合わせ目から漏れ出るのを防止することができ、例えば上階での床の嵩上げ工事時における下の階への水漏れを防止しやすくなる。また、粘着テープ９の貼着を合成樹脂発泡板３を敷き並べつつ行えば、合わせ目の封止と同時に、敷き並べ作業中の合成樹脂発泡板３のずれ防止をも図ることができる。
【００３２】
図７は、本発明に係る床構造体の第３の例を示す断面図で、やはり基本的には図１に示す第１の例と同様であるが、敷き並べられた合成樹脂発泡板３の上面がカバーシート１０で覆われたものとなっている。
【００３３】
上記カバーシート１０としては、コンクリート５の付着を抑制でき、かつ防水性を有するシート又はフィルム状材料が好ましく、例えばポリエチレン、ポリプロピレン、ポリ塩化ビニルなどの合成樹脂フィルム、表面にコンクリート５の付着防止処理を施した防水紙、アルミニウム箔などを用いることができる。
【００３４】
カバーシート１０の壁部２に沿った縁部は、枠材４に沿って立ち上げ、粘着テープ（図示されていない）で止めておくことが好ましい。また、カバーシート１０は、通常、複数枚を合成樹脂発泡板３上に広げて設けられるが、隣接するカバーシート１０の端部は重ね合わせてやはり粘着テープ（図示されていない）などで止めておくことが好ましい。
【００３５】
このように、合成樹脂発泡板３上をカバーシート１０で覆っておくと、カバーシート１０により、コンクリート５の付着防止と防水性の付与を図ることができると同時に、合成樹脂発泡板３を保護を図ることができる。
【００３６】
本第３の例の床構造体は、合成樹脂発泡板３及び枠材４の設置後、仕切り材６の設置前に、敷き並べた合成樹脂発泡板３上にカバーシート１０を広げてこれを覆い、その後カバーシート１０上に仕切り板６を設け、コンクリート５を打設することで得ることができる。
【００３７】
図８は、本発明に係る床構造体の第４の例を示す断面図、図９はこの第４の例における合成樹脂発泡板３の斜視図、図１０は第４の例における合成樹脂発泡板３同志の合わせ目付近の拡大断面図である。
【００３８】
第４の例は、上述の第３の例と同様に、敷き並べた合成樹脂発泡板３上をカバーシート１０で覆ったものであるが、カバーシート１０が予め合成樹脂発泡板３上に積層されたものとなっている。本例におけるカバーシート１０は、図９に明示されるように、各合成樹脂発泡板３毎に積層されているもので、少なくとも一側縁部が合成樹脂発泡板３の一側縁部より外方に延出した延出部１１を構成している。また、図１０に明示されるように、このカバーシート１０の延出部１１が隣接する合成樹脂発泡板３上に被せられている。
【００３９】
このように予めカバーシート１０が積層された合成樹脂発泡板３を用いると、合成樹脂発泡板３上にカバーシート１０を被せる手間を省略することができ、施工性が向上し、工期の短縮を図ることができる。
【００４０】
本例におけるカバーシート１０としては、合成樹脂発泡板３に熱融着によって容易に積層できるよう、例えばポリエチレン、ポリプロピレン、ポリ塩化ビニルなどの合成樹脂フィルムの表面（合成樹脂発泡板３への接合面）に、エチレン−酢酸ビニル共重合体、エチレン−アクリル酸共重合体などのヒートシール性の良好な合成樹脂をコーティング又はラミネートしたものが好ましい。
【００４１】
本例の床構造体は、予め積層されたカバーシート１０の延出部１１を隣接する合成樹脂発泡板３上に被せながら合成樹脂発泡板４を敷設し、その後仕切り材６の付設やコンクリート５の打設などを行うことで得ることができる。延出部１１は、隣接する合成樹脂発泡板３上に被せることで合わせ目を覆って防水性を付与するためのもので、総ての合わせ目を覆いやすくするためには２方向以上に形成されていることが好ましい。また、隣接する合成樹脂発泡板３上に被せた延出部１１の端部を粘着テープ（図示されていない）で止めておくと、防水性を向上させることができると共に、合成樹脂発泡板３の敷設作業中のずれを防止することもできる。
【００４２】
【発明の効果】
本発明は、以上説明したとおりのものであり、本発明の床構造体は、合成樹脂発泡板上に打設されたコンクリートを、仕切り材で仕切られた領域毎に容易に剥離分離することができるので、解体や部分補修が容易であり、解体持の騒音などもなく、リフォームに適しており、また本発明の構築方法によれば、当該床構造体を容易に得ることができるものである。
【図面の簡単な説明】
【図１】本発明に係る床構造体の第１の例を示す断面図である。
【図２】仕切り材のの配置状態を示す平面図である。
【図３】仕切り材の拡大斜視図である。
【図４】仕切り材の他の例を示す拡大斜視図である。
【図５】本発明の効果の説明図である。
【図６】本発明に係る床構造体の第２の例を示す断面図である。
【図７】本発明に係る床構造体の第３の例を示す断面図である。
【図８】本発明に係る床構造体の第４の例を示す断面図である。
【図９】第４の例における合成樹脂発泡板３の斜視図である。
【図１０】第４の例における合成樹脂発泡板３同志の合わせ目付近の拡大断面図である
【符号の説明】
１    床下地
２    壁部
３    合成樹脂発泡板
４    枠材
５    コンクリート
６    仕切り材
７    モルタル
８    床材
９    粘着テープ
１０  カバーシート
１１  延出部
【図１】
2004176441.tif 000003
【図２】
2004176441.tif 000004
【図３】
2004176441.tif 000005
【図４】
2004176441.tif 000006
【図５】
2004176441.tif 000007
【図６】
2004176441.tif 000008
【図７】
2004176441.tif 000009
【図８】
2004176441.tif 000010
【図９】
2004176441.tif 000011
【図１０】
2004176441.tif 000012